(57)【要約】【課題】肩７から離れた位置において、首６に安定して当てることができる首の凝りほぐし器１であって、首６に対して概略直角に力の作用を働かせ、また、頂上部の稜２ｅが首６の肉に食い込むように押すことを可能にした首の凝りほぐし器１、及び、適切に首６の凝りをほぐす効果が得られる首の凝りをほぐす方法を提供する。【解決手段】概略垂直に設けた頂上部２ａを有する首の凝りほぐし器１とし、頂上部２ａの頭側上斜面２ｆと肩側上斜面２ｇとの間の角度である頂上角２ｂを８５〜９５度とし、頂上部の稜２ｅの角を半径０．５〜２．５ｍｍに丸める。またほぐし器本体２と複数のかさ上げ台３とを組み合わせることにより、首の凝りほぐし器１の高さを調節可能に構成する。さらに、首の凝りほぐし器１の頂上部の稜２ｅの上で首６を左右に転がすことにより、首の凝りをほぐす方法とする。【選択図】図１
2012125448.tif 000002
【特許請求の範囲】
【請求項１】
ベース部と、前記ベース部に対して概略垂直に設けた頂上部とを有する首の凝りほぐし器であって、前記頂上部は頭側上斜面と肩側上斜面を有するものとし、前記頭側上斜面と前記肩側上斜面の間の角度である頂上角を８５〜９５度とし、前記頭側上斜面と前記肩側上斜面とが交わる頂上部の稜の角を半径０．５〜２．５ｍｍに丸めたことを特徴とする首の凝りほぐし器。
【請求項２】
請求項１に記載した首の凝りほぐし器であって、高さを調節可能に構成したことを特徴とする首の凝りほぐし器。
【請求項３】
請求項１又は請求項２に記載したいずれかの首の凝りほぐし器の頂上部の稜に首を載せ、前記頂上部の稜を首の肉に食い込ませた状態にして、首を左右に転がすことを特徴とする首の凝りをほぐす方法。
【発明の詳細な説明】
【技術分野】
【０００１】
本発明は、身体の首が凝ったときに使用する、首の凝りをほぐすために有用な凝りほぐし器に関するものである。
【背景技術】
【０００２】
従来から肩の凝りを解消する器具の発明（例えば、特許文献１参照。）があったが首の凝りをほぐす器具は無かった。特許文献１の発明は、３０〜６０度の角度で斜めに突出する突部を使用者の首の付け根に当ててマッサージ効果を得るものであるが、斜めに突出する突部は首の付け根や肩が凝っている場合はともかく、肩から離れた首の部分や頭に近い首の部分が凝っている場合は、斜めに突出する突部を首に当てること自体が不安定になる問題と、首に対して斜め方向に力の作用が働くため、首の凝りをほぐす効果が適切に得られない問題があった。さらに、突部の先端が大きな円弧になっているので、突部の先端が首の肉に食い込むことが無く、首の凝りをほぐす効果が得られない問題があった。
そこで、本願発明者は試行錯誤の実験を繰り返し、その結果、首の凝りをほぐすために適切な首の凝りほぐし器を得たものである。
【先行技術文献】
【特許文献】
【０００３】
【特許文献１】特開２００８−４３７０９号公報
【発明の概要】
【発明が解決しようとする課題】
【０００４】
本発明の目的は、肩から離れた首の位置に安定して当てることができる凝りほぐし器であって、首に対して概略直角に力の作用を働かせ、頂上部の先端が首の肉に食い込むようにすることにより、適切に首の凝りをほぐす効果が得られる首の凝りほぐし器、及び、首の凝りをほぐす方法を提供することにある。
【課題を解決するための手段】
【０００５】
概略垂直に設けた頂上部を有する首の凝りほぐし器とし、頂上部の上面を頭側上斜面と肩側上斜面とからなるものとし、頭側上斜面と肩側上斜面との間の角度である頂上角を８５〜９５度とし、頭側上斜面と肩側上斜面とが交わる頂上部の稜の角を半径０．５〜２．５ｍｍに丸める。
【発明の効果】
【０００６】
首を載せて、肩から頭までの重量を預けても安定して受けることができ、肩から頭までの重量を掛けたときに、首に対して概略直角方向に反力を働かせることができ、頂上部の先端にある頂上部の稜が、首の肉に食い込むことを可能に構成した首の凝りほぐし器を提供することができた。さらに、首の凝りほぐし器の頂上部の稜を首の肉に食い込ませた状態にして、首を左右に転がす方法を提供したので、適切に首の凝りをほぐすことが可能になった。
【図面の簡単な説明】
【０００７】
【図１】首の凝りほぐし器の斜視図である。
【図２】首の凝りほぐし器の正面図である。
【図３】首の凝りほぐし器の側面図である。
【図４】使用状態を表した側面図である。
【発明を実施するための形態】
【０００８】
ベース部と、ベース部に対して概略垂直に設けた頂上部とを有する首の凝りほぐし器であって、頂上部は頭側上斜面と肩側上斜面を有するものとし、頭側上斜面と肩側上斜面の間の角度である頂上角を８５〜９５度とし、頭側上斜面と肩側上斜面とが交わる頂上部の稜の角を半径０．５〜２．５ｍｍに丸めた首の凝りほぐし器とする。
頂上角を８５〜９５度とし、頂上部の稜の角を半径０．５〜２．５ｍｍに丸めたのは、本願発明者が多数の試作品を作り、何回も繰り返し使用する試験を行った結果得られた成果である。特に頂上部の稜の角については、首を傷つけないよう丸めつつ、適切に首に食い込むようにすることにより、効果的に首の凝りをほぐす構成にしたものである。
首の凝りほぐし器の素材としては木材、合成樹脂、鉄やステンレスやアルミ合金などの金属材など好ましい。
首の凝りほぐし器に首を載せた状態を、頭側から肩側を見る方向を正面としたときに、首の凝りほぐし器の大きさを幅１４０〜３００ｍｍ、長さ６０〜１００ｍｍ、高さ５０〜１５０ｍｍとすると、使用しやすい大きさとなり、さらに、かばんにいれて持ち運ぶことができるため好ましい。
【０００９】
また高さを調節可能な首の凝りほぐし器とすると、使用する人の身体の大きさや、併用して使用する枕のサイズに会わせて、首の凝りほぐし器を最適な高さに調節することが可能になり好ましい。
高さ調節の方法としては、高さを変えた複数種類のかさ上げ台を準備して、使用する人が自分の使用状態に会わせて適宜かさ上げ台を選択する方法がある。また、凝りほぐし器本体とかさ上げ台との間をボルト締めにして、凝りほぐし器本体とかさ上げ台との間に高さ調節用の部材を挿入したり、押しボルトにより凝りほぐし器本体とかさ上げ台との間の隙間を調節する方法などがあり、高さを調節する手段についてこだわるものではない。
さらに、上記したいずれかの首の凝りほぐし器の頂上部の稜に首を載せ、首の凝った部分に頂上部の稜を食い込ませた状態にして、頂上部の稜の上で首を左右に転がす方法は、首の凝りほぐし器を使用した首の凝りをほぐす方法として最も好ましい。
【実施例１】
【００１０】
以下、本願発明の実施例１を図１〜図４に示し説明する。実施例１の首の凝りほぐし器１は、いずれも木材からなる、ほぐし器本体２とかさ上げ台３とで構成した。
首の凝りほぐし器１は、幅２５０ｍｍ長さ７５ｍｍ高さ９０ｍｍのサイズを有するものとした。また、かさ上げ台３を交換することによって、高さを任意の高さに調節することが可能である。実施例１では８０〜１２０ｍｍの範囲で段階的に調節することを可能にするため、複数のかさ上げ台を用意した。
ほぐし器本体２は、頂上部２ａとベース部２ｃを有し、頂上部２ａの上面は頭側上斜面２ｆと肩側上斜面２ｇとからなるものとし、頭側上斜面２ｆと肩側上斜面２ｇの間の角度である頂上角２ｂを９０度とした。また、頭側上斜面２ｆと肩側上斜面２ｇとが交わる頂上部の稜２ｅの角を全幅に渡って半径１．５ｍｍに丸めた。そして、ベース部２ｃの下側には全幅に渡ってアリ溝２ｄを設けた。
かさ上げ台３は台部３ａと、ほぐし器本体２のアリ溝２ｄに嵌め合う挿入部３ｂとからなり、挿入部３ｂをアリ溝２ｄに挿入することにより、ほぐし器本体２とかさ上げ台３とが一体化する構成とした。
【００１１】
実施例１の首の凝りほぐし器１は布団の上、ベットやマットの上、さらには床に直接置いても構わない。また、枕８と併用して使用することが好ましい。頭５の重量が重いため、頭５の重量の全てを首の凝りほぐし器１に載せた場合に、首６が痛くなることがあるからである。もちろん、熟練者が使用する場合や、適切な重量軽減策を講じた場合は枕８を使用する必用は無い。
布団の上に置き、枕８を併用して首の凝りほぐし器１を使用する場合は、首６の凝っているところに頂上部の稜２ｅを当てつつ、布団の上に仰向けに横になって、肩７を布団に頭５を枕８に載せる。
そして、頂上部の稜２ｅが首６の肉に適宜食い込んだ状態とする。係る状態においてゆっくりと、頂上部の稜２ｅの上で首６を左右に転がす行為を繰り返すと、頂上部の稜２ｅを首６の肉に食い込ませた状態に押したまま、頂上部の稜２ｅにより首６を押す位置が少しずつ変わり、首６をマッサージする効果が得られるため、首６の凝りがほぐれる。
本実施例では、複数種類のかさ上げ台３を準備して、使用する人の体型や枕８の高さなどの使用状態に会わせて、使用する人が適宜かさ上げ台３を選択する方法を採用した。
しかし、ほぐし器本体とかさ上げ台との間をボルト締めにして、ほぐし器本体とかさ上げ台との間に高さ調節用の部材を挿入したり、押しボルトによりほぐし器本体とかさ上げ台との間の隙間を調節する方法も考えられる。
【産業上の利用可能性】
【００１２】
本願発明は、首の凝りほぐし器を製造販売する産業だけでなく、マッサージのサービスや老人養護のサービスなどを提供する産業などにも利用される。
【符号の説明】
【００１３】
１  ：首の凝りほぐし器      ２  ：ほぐし器本体            ２ａ：頂上部
２ｂ：頂上角                ２ｃ：ベース部                ２ｄ：アリ溝
２ｅ：頂上部の稜            ２ｆ：頭側上斜面              ２ｇ：肩側上斜面
３  ：かさ上げ台            ３ａ：台部                    ３ｂ：挿入部
５  ：頭                    ６  ：首                      ７  ：肩
８  ：枕
【図１】
2012125448.tif 000003
【図２】
2012125448.tif 000004
【図３】
2012125448.tif 000005
【図４】
2012125448.tif 000006